(57)【要約】【課題】  ドラム内部の空気圧が温度上昇により高くなっても、ドラムと蓋体との間の気密性が保たれるようにする。【解決手段】  回転ドラム式洗浄装置は、被洗浄物を出し入れするための開口部２１ｃを有し回転駆動されるドラム２１と、開口部２１ｃを覆った状態で開口部２１ｃの外側周縁部に沿って裏面から突出するように設けられたパッキン３１ｂを有する蓋体３１とを備えている。蓋体３１は、蓋体３１の前後方向の中心線Ｌ１の複数箇所にて押し付け機構３３，３３ａ，３３ｂによって押し付けられて、ドラム２１の開口部２１ｃを密閉する。蓋体３１（基板３１ａ及びパッキン３１ｂ）は、自然状態（すなわち板面に垂直な力を加えない状態）で、凸状部３１ｂ１の中心線Ｌ１を中心にして、裏面側が凹状になるように湾曲させて構成されている。【選択図】  図４
2014091087.tif 000002
【特許請求の範囲】
【請求項１】
被洗浄物を出し入れするための開口部を有するとともに、内部に被洗浄物を収容する空間を有してなり、回転駆動されるドラムと、
前記ドラムの開口部を覆った状態で、前記開口部の外側周縁部に沿って裏面から突出するように設けられたパッキンを有し、前記開口部を密閉するための蓋体と、
前記ドラムの開口部及び前記蓋体のパッキンを跨る一つの直線上の複数箇所にて、前記蓋体を表面側から前記ドラム側に押し付けて、前記開口部の外側周縁部への前記パッキンの密着により、前記開口部を密閉する押し付け機構とを備え、
前記ドラムの内部に前記開口部を介して被洗浄物を入れ、前記押し付け機構により前記開口部を前記蓋体で密閉した後、前記ドラムを回転させて被洗浄物を洗浄する回転ドラム式洗浄装置において、
前記ドラムの開口部を前記蓋体で覆い、かつ前記押し付け機構によって前記蓋体を前記ドラム側に押し付ける前の状態において、前記一つの直線から離れた位置のパッキンの部分を前記ドラムの開口部の外側周縁部に当接させ、かつ前記一つの直線に近い位置のパッキンの部分を前記ドラムの開口部の外側周縁部から離すように、前記ドラムの開口部と前記蓋体を構成するようにしたことを特徴とする回転ドラム式洗浄装置。
【請求項２】
前記ドラムの開口部を前記蓋体で覆い、かつ前記押し付け機構によって前記蓋体を前記ドラム側に押し付ける前の状態において、前記蓋体を、前記一つの直線に対向する位置を中心に裏面側が凹状になるように湾曲させて構成した請求項１に記載した回転ドラム式洗浄装置。
【請求項３】
前記ドラムの開口部を、前記一つの直線を中心に前記パッキンと接する面が凹状になるように湾曲させて構成した請求項１に記載した回転ドラム式洗浄装置。
【請求項４】
前記ドラムの開口部を前記蓋体で覆い、かつ前記押し付け機構によって前記蓋体を前記ドラム側に押し付ける前の状態において、前記パッキンを、前記一つの直線に対向する位置を中心に前記開口部の外側周縁部と接する部分が凹状になるように湾曲させて前記蓋体の裏面から突出させるように構成した請求項１に記載した回転ドラム式洗浄装置。
【発明の詳細な説明】
【技術分野】
【０００１】
本発明は、ドラムの内部に被洗浄物（例えば、ロストル）を入れて、ドラムを回転させることにより被洗浄物を洗浄する回転ドラム式洗浄装置に関する。
【背景技術】
【０００２】
従来から、例えば下記特許文献１に示されているように、ドラムの内部に、被洗浄物、研磨チップ、洗浄剤及び水を入れて、ドラムを回転させることにより被洗浄物を洗浄する回転ドラム式洗浄装置は知られている。この回転ドラム式洗浄装置においては、ドラムは被洗浄物を出し入れするための方形状の開口部を有し、ドラムの開口部の外側周縁部に対応する位置に組み付けられたパッキンを備えた方形状かつ平板状の蓋体でドラムの開口部を覆い、押し付け機構により、ドラムの開口部及び蓋体のパッキンを跨る一つの直線上の複数箇所にて蓋体をその表面側からドラム側に押し付けて、開口部の外側周縁部へのパッキンの密着により、ドラムの開口部を密閉するようにしている。なお、研磨チップは研磨剤という場合もあり、本明細書では、これらの研磨チップ及び研磨剤の両者を含む意味で、研磨チップなる用語を用いる。
【先行技術文献】
【特許文献】
【０００３】
【特許文献１】実用新案登録第２５４２１６８号公報
【発明の概要】
【０００４】
このような回転ドラム式洗浄装置においては、ドラム内に被洗浄物、研磨チップ、洗剤及び水を投入し、蓋体でドラムの開口部を覆うとともに、押し付け機構により蓋体をその表面側からドラム側に押し付けて、パッキンをドラムの開口部の外側周縁部に密着させた後、一般的には３０分から６０分間程度ドラムを回転させて被洗浄物を洗浄する。このとき、ドラム内では、被洗浄物と研磨チップとの衝突により摩擦熱が発生し、ドラム内部の温度が上昇する。また、被洗浄物に多量の付着物が付着している場合には、ドラムの回転時間を前記時間よりさらに延長させるので、前記ドラム内部の温度はさらに上昇する。また、ドラムの内壁面に騒音防止用のゴム材が配設されている場合もあり、この場合には、ゴム材が断熱材の役目を果たし、ドラム内部の温度はさらに上昇する傾向にあり、短時間で約５０℃に達することもある。このような温度上昇により、内部の空気は膨張して内部圧力が外気圧よりも高くなる。また、大量の付着物が被洗浄物上に固形化している場合には、通常温度の水に代えて、高温の水（すなわち高温湯）をドラム内に投入して、被洗浄物の洗浄が行われこともあるが、この場合には、ドラム内部の温度は前記高温の水の温度よりもさらに高くなり、ドラム内部の空気圧はさらに高くなる。
【０００５】
このようにドラム内部の空気圧が高くなると、ドラムの開口部を覆っている蓋体にもドラム内部から高圧が加わり、蓋体が変形し、押し付け機構により押し付けられている位置から離れた位置においては、パッキンとドラムの開口部の外側周縁部との間からドラム内部の空気が外部へ漏れることがあった。これは、押し付け機構による蓋体の押し付け位置近傍では、蓋体は変位することなくパッキンがドラムの開口部の外側周縁部上に密着しているが、前記押し付け位置から離れるに従って蓋体はそりにより変位し易く、前記押し付け位置から離れた位置では、蓋体はドラム内部の上昇した空気圧とパッキンの反発力とによって変位してパッキンとの気密性が低くなるためである。
【０００６】
このような回転ドラム式洗浄装置の運転中すなわちドラムの回転中にドラム内部の空気が漏れた場合には、回転ドラム式洗浄装置が運転終了後に放置されると、ドラム内部の空気温度が放熱により低下し、ドラム内部の空気圧が低下して外気圧よりも低くなる。このドラム内部の空気圧の低下により、蓋体がパッキンを介してドラムに吸着されてしまい、蓋体のドラムからの取り外しが困難になるという問題が生じていた。
【０００７】
本発明は上記問題に対処するためになされたもので、その目的は、ドラム内部の空気圧が温度上昇により高くなっても、ドラムと蓋体との間の気密性が保たれるようにした回転ドラム式洗浄装置を提供することにある。なお、下記本発明の構成において、実施形態の対応する部分の符号を括弧内に例示的に示すが、これは本発明の構成を限定するものではない。
【０００８】
上記目的を達成するために、本発明の特徴は、被洗浄物を出し入れするための開口部（２１ｃ）を有するとともに、内部に被洗浄物を収容する空間を有してなり、回転駆動されるドラム（２１）と、ドラムの開口部を覆った状態で、開口部の外側周縁部に沿って裏面から突出するように設けられたパッキン（３１ｂ，４１ｂ）を有し、開口部を密閉するための蓋体（３１，４１）と、ドラムの開口部及び蓋体のパッキンを跨る一つの直線（Ｌ１）上の複数箇所にて、蓋体を表面側からドラム側に押し付けて、開口部の外側周縁部へのパッキンの密着により、開口部を密閉する押し付け機構（２１ｆ，３３，３３ａ，３３ｂ４２，４２ａ，４２ｂ）とを備え、ドラムの内部に開口部を介して被洗浄物を入れ、押し付け機構により開口部を蓋体で密閉した後、ドラムを回転させて被洗浄物を洗浄する回転ドラム式洗浄装置において、ドラムの開口部を蓋体で覆い、かつ押し付け機構によって蓋体をドラム側に押し付ける前の状態において、前記一つの直線から離れた位置のパッキンの部分をドラムの開口部の外側周縁部に当接させ、かつ前記一つの直線に近い位置のパッキンの部分をドラムの開口部の外側周縁部から離すように、ドラムの開口部と蓋体を構成するようにしたことにある。
【０００９】
この場合、例えば、ドラムの開口部を蓋体で覆い、かつ押し付け機構によって蓋体をドラム側に押し付ける前の状態において、蓋体を、前記一つの直線に対向する位置を中心に裏面側が凹状になるように湾曲させて構成するとよい。また、ドラムの開口部を、前記一つの直線を中心にパッキンと接する面が凹状になるように湾曲させて構成してもよい。さらに、ドラムの開口部を蓋体で覆い、かつ押し付け機構によって蓋体をドラム側に押し付ける前の状態において、パッキンを、前記一つの直線に対向する位置を中心に開口部の外側周縁部と接する部分が凹状になるように湾曲させて蓋体の裏面から突出させるように構成してもよい。
【００１０】
上記のように構成した本発明においても、ドラム内に、開口部を介して、被洗浄物（例えば、ロストル、焼き肉用網などの付着物の付着した被洗浄物）、研磨チップ、洗剤及び水を投入し、蓋体でドラムの開口部を覆うとともに、押し付け機構により蓋体をその表面側からドラム側に押し付けた後、ドラムを回転させて、被洗浄物を洗浄する。この場合、本発明においては、ドラムの開口部を蓋体で覆い、かつ押し付け機構によって蓋体をドラム側に押し付ける前の状態では、押し付け機構によって押し付けられる一つの直線から離れた位置のパッキンの部分をドラムの開口部の外側周縁部に当接させ、前記一つの直線に近い位置のパッキンの部分をドラムの開口部の外側周縁部から離すように設定されているので、この状態では、ドラム内部が外気に連通している。そして、この状態から押し付け機構によって蓋体をドラム側に押し付けると、前記一つの直線から離れた位置のパッキンの部分は、前記ドラムの開口部の外側周縁部への当接状態から圧接されて、すなわち大きく押し潰されて、前記外側周縁部との接触面積が増す。一方、この押し潰しにより、蓋体と前記外側周縁部との距離が縮まり、前記一つの直線に近い位置のパッキンの部分と前記外側周縁部との隙間もなくなり、このパッキンの部分も前記外側周縁部に密着される。
【００１１】
その後、ドラムを回転させて被洗浄物の洗浄を開始すると、被洗浄物と研磨チップとの摩擦によって熱が発生して、ドラム内部の空気圧は上昇する。この空気圧の上昇により、上昇した空気圧とパッキンの反発力により、蓋体には、前記一つの直線から離れるに従って大きく変位するようなそりが発生する。すなわち、前記一つの直線から離れるに従って、蓋体の変位量は大きくなる。しかし、ドラムの回転前の押し付け機構による蓋体の押し付け時には、前記一つの直線から離れた位置のパッキンは、前記一つの直線に近い位置のパッキンに比べて大きく押し潰されている。そのため、ドラムの回転時に、蓋体に多少のそりが生じても、前記一つの直線から離れた位置のパッキンによるドラムの開口部の外側周縁部への密着は保たれ、パッキン全体がドラムの開口部の外側周縁部に密着されて、ドラム内部の気密性を高めることができる。
【００１２】
これにより、ドラムの回転中、ドラム内部の空気が外部へ漏れることがなくなり、回転ドラム式洗浄装置が運転終了後に放置され、ドラム内部の空気温度が放熱により低下しても、ドラム内部の空気圧が低下して外気圧よりも低くなることがない。その結果、本発明によれば、蓋体がパッキンを介してドラムに吸着されることがなくなり、押し付け機構による蓋体の押し付けを解除すれば、蓋体をドラムから簡単に取り外しできるようになる。特に、押し付け機構による蓋体の押し付けの解除時には、前記一つの直線に近い位置のパッキンの部分はドラムの開口部の外側周縁部から離れて隙間ができるので、蓋体をドラムから簡単に取り外しできるようになる。
【００１３】
また、冬季において暖房された室内でこの回転ドラム式洗浄装置を繰返し運転させた後、蓋体を押し付け機構により押し付けた状態のまま暖房が停止された室内に放置すると、ドラム内部の空気は温度低下によって外気圧よりも低くなるが、押し付け機構による蓋体の押し付けの解除時には、前記一つの直線に近い位置のパッキンの部分はドラムの開口部の外側周縁部から離れて隙間ができる。したがって、このような状況下では、外気がドラム内に流入し、ドラム内部の空気圧が外気圧と同じになるので、この場合も、蓋体をドラムから簡単に取り外しできる。
【図面の簡単な説明】
【００１４】
【図１】本発明の一実施形態に係る回転ドラム式洗浄装置の全体概略斜視図である。
【図２】図1のドラム部の分解斜視図である。
【図３】(Ａ)は図２の密閉用の蓋体の裏面図であり、(Ｂ)は(Ａ)のＢ−Ｂ線に沿って切断した密閉用の蓋体の端面図である。
【図４】ドラムの開口部を密閉用の蓋体で覆い、かつ押し付け機構により前記蓋体をドラム側に押し付ける前の状態を示す、図１の４−４線に沿って見たドラムの開口部の断面図である。
【図５】ドラムの開口部を密閉用の蓋体で覆い、かつ押し付け機構により前記蓋体をドラム側に押し付けた状態を示すドラムの開口部の一部の拡大断面図である。
【図６】変形例に係り、ドラムの開口部を密閉用の蓋体で覆い、かつ押し付け機構により前記蓋体をドラム側に押し付ける前の状態を示すドラムの開口部の断面図である。
【図７】他の変形例に係り、ドラムの開口部を密閉用の蓋体で覆い、かつ押し付け機構により前記蓋体をドラム側に押し付ける前の状態を示すドラムの開口部の断面図である。
【図８】他の実施形態に係る回転ドラム式洗浄装置の全体概略斜視図である。
【図９】(Ａ)は図８の蓋体の裏面図であり、(Ｂ)は(Ａ)のＢ−Ｂ線に沿って切断した密閉用の蓋体の端面図である。
【発明を実施するための形態】
【００１５】
以下、本発明の一実施形態について図面を用いて説明すると、図1は、本発明の一実施形態に係る回転ドラム式洗浄装置の全体概略斜視図である。図２は、図1のドラム部の分解斜視図である。図３ (Ａ)は図２の密閉用の蓋体の裏面図であり、図３(Ｂ)は(Ａ)のＢ−Ｂ線に沿って切断した密閉用の蓋体の端面図である。
【００１６】
この回転ドラム式洗浄装置は、各種フレーム１１を連結して上面及び側面を開放させて直方体状の支持構造１０を備えている。水平方向に延設された下部のフレーム１１の下面には脚部１２が設けられており、回転ドラム式洗浄装置を脚部１２を介して設置面上に配置されるようになっている。また、この水平方向に延設された下部のフレーム１１には、底板１３が固定されている。上下方向に延設されたフレーム１１の中間部には、上面に凹部を形成して、洗浄水を受けるための上方に開放した水受け部１４が設けられている。水受け部１４には図示しないホースが接続されており、洗浄水の排出時には、水受け部１４は受け止めた洗浄水をホースを介して外部に排出する。なお、この支持構造１０は鉄製であり、後述する他の構造部材も材質を特定しない限り鉄製である。
【００１７】
支持構造１０の上部の互いに対向する左右方向の1対のフレーム１１，１１には、ドラム２１が回転可能に組み付けられている。なお、以降の説明においては、図１及び図２における上方向及び下方向をこの回転ドラム式洗浄装置のそれぞれ上方向及び下方向とするとともに、図１及び図２における左下方向、右上方向、左上方向及び右下方向をこの回転ドラム式洗浄装置のそれぞれ前方向、後方向、左方向及び右方向とする。ドラム２１は、左右一対の側板２１ａ，２１ａ及び外周板２１ｂを一体的に形成して、上面を開口させた内部に６角柱状の空間を有する断面６角形状に形成されている。なお、ドラム２１の断面形状は６角形状に限らず、円形又は他の多角形状でもよい。側板２１ａ，２１ａには、補強部材２２，２２を介して回転軸２３，２３が固定されている。回転軸２３，２３は、左右一対のフレーム１１，１１に固定された軸受２４，２４に軸線周りに回転可能に支持されている。
【００１８】
右側の回転軸２３の先端部には、プーリ２５が固定されている。底板１３上にはモータ２６が固定され、モータ２６の回転軸の先端部にはプーリ２７が固定されている。両プーリ２５，２７間には、ゴム製のタイミングベルト２８が巻き掛けられている。これにより、モータ２６が回転すると、モータ２６の回転は、プーリ２７、タイミングベルト２８及びプーリ２５を介して回転軸２３に伝達され、ドラム２１が回転軸２３周りに回転する。
【００１９】
次に、ドラム２１の上面を開口させる開口部２１ｃと、開口部２１ｃを密閉するための密閉用の蓋体３１、開口部２１ｃからドラム２１内の洗浄水を排水するための排水用の蓋体３２、及び蓋体３１，３２をドラム２１側に押し付ける押し付け機構について説明する。開口部２１ｃは、ドラム２１の上面を平らに形成した長方形状の枠によって構成されている。なお、ドラム２１の内周面全体には、例えばロストル、焼き肉用網などの付着物の付着した被洗浄物をドラム２１内に入れてドラムを回転させた場合に、被洗浄物とドラム２１の内面の衝突によるドラム２１の内面及び被洗浄物の損傷、前記衝突による騒音などを防止するために、天然ゴム等の材質のライニング２１ｄが添着されている（図４参照）。そして、このライニング２１ｄは、開口部２１ｃの上面にも延長されて添着されている。
【００２０】
密閉用の蓋体３１は、開口部２１ｃの縦及び横の長さよりも若干大きな縦及び横の長さを有する長方形状の平板で構成され、その裏面（下面）にはゴム製のパッキン３１ｂが添着されている。このパッキン３１ｂについては、詳しく後述する。蓋体３１の表面（上面）には、蓋体３１の前後方向の中央位置にて左右方向に延びる軸線上であって、軸線方向の中心位置から等距離の２箇所に、後述する偏芯カム３３ａ，３３ａを当接させる２つの板片３１ｃ，３１ｃが固着されている。なお、これらの板片３１ｃ，３１ｃは、長手方向を前後方向にして長方形状に形成されている。また、蓋体３１の上面には、蓋体３１を移動させるための２つの取っ手３１ｄ、３１ｄも取り付けられている。このように構成した蓋体３１は、ドラム２１の開口部２１ｃ上に載置されて、前方へ押し込まれる。この蓋体３１の前方への押し込み時の位置決めのために、ドラム２１の開口部２１ｃの外側部分には２個のストッパ２１ｅ，２１ｅが設けられている。
【００２１】
排水用の蓋体３２も、開口部２１ｃの縦及び横の長さよりも若干大きな縦及び横の長さを有する長方形状の平板で構成されている。蓋体３２は、表面（上面）から裏面（下面）まで貫通する複数の水抜き用の孔３２ａを有する。なお、この水抜き用の孔３２ａは、研磨チップが通り抜けない程度に小さい。また、この蓋体３２の表面にも、前記蓋体３１の２つずつの板片３１ｃ，３１ｃ及び取っ手３１ｄ，３１ｄと同様な２つずつの板片３２ｂ，３２ｂ及び取っ手３２ｃ、３２ｃが取り付けられている。なお、蓋体３２にはパッキンが設けられておらず、蓋体３２は前記蓋体３１よりも薄いので、後述する偏芯カム３３ａ，３３ａによる押し付けを確保するために、板片３２ｂ、３２ｂは、前記板片３１ｃ、３１よりも厚く構成されている。このように構成した蓋体３２も、ドラム２１の開口部２１ｃ上に載置された後、前方へ押し込まれてストッパ２１ｅ，２１ｅにより位置決めされる。
【００２２】
押し付け機構は、軸線方向の長さをドラム２１の左右方向の長さよりも長くした円柱状のロッド３３を備えている。このロッド３３は、その両端部にて、ドラム２１の一対の側板２１ａ，２１ａ及び開口部２１ｃに一体的に設けられた一対の支持部２１ｆ，２１ｆに組み付けられる。支持部２１ｆ，２１ｆは、ロッド３３の外形よりも若干大きな内径を有し、ロッド３３の両端部を軸線方向に進退可能に支持するとともに、軸線周りに回転可能に支持する貫通孔２１ｆ１，２１ｆ１をそれぞれ有する。そして、ロッド３３は、蓋体３１，３２をドラム２１の開口部２１ｃの上面に載置した状態で、一方の端部を一方の貫通孔２１ｆ１に内側から侵入させて一方の貫通孔２１ｆ１に支持させた後、軸線方向の反対側に移動させて他方の端部を他方の貫通孔２１ｆ１に支持させることにより、支持部２１ｆ、２１ｆに組み付けられる。
【００２３】
ロッド３３の側面であって、軸線方向の２つの板片３１ｃ、３１ｃ及び板片３２ｂ、３２ｂに対応する位置には、同一形状であって板状の偏芯カム３３ａ，３３ａが、ロッド３３の軸線から偏芯させて同一方向に延設されるとともに、互いに平行になるようにロッド３３に一体的に設けられている（図５参照）。また、ロッド３３の軸線方向の中央位置には、ロッド３３を軸線周りに回転操作するためのハンドル３３ｂが一体的に径方向に延設されている。なお、本実施形態では、２つの偏芯カム３３ａをロッド３３に設けるようにしたが、この偏芯カム３３ａの数は複数であればいくつでもよく、例えば３つ以上の偏芯カム３３ａをロッド３３に設けるようにしてもよい。この場合、板片３１ｃ，３２ｂの数も偏芯カム３３ａの数に合わせるとともに、偏芯カム３３ａ及び板片３１ｃ，３２ｂをロッド３３の軸線方向中央位置に対してそれぞれ対称位置に設けるとよい。また、ドラム２１の裏面側には、ロッド３３をドラム２１から外したとき、ロッド３３を保持しておくための左右両端に保持溝を有する保持部２１ｇ，２１ｇが設けられている。
【００２４】
次に、パッキン３１ｂについて詳しく説明する。前述した密閉用の蓋体３１は、図３(Ａ)(Ｂ)に示すように、長方形状かつ平板状の鉄製の基板３１ａ上に、基板３１ａと同一の形状及び大きさを有するゴム製のパッキン３１ｂが添着されている。パッキン３１ｂは、全体的には平板状に形成され、その周縁部すなわち蓋体３１でドラム２１の開口部２１ｃを覆った状態で開口部２１ｃの周縁部に当接する位置にて、所定幅で下方に突出した断面台形状の凸状部３１ｂ１を方形状に延設させている。なお、図３(Ａ)(Ｂ)においては、板片３１ｃ及び取っ手３１ｄを省略している。
【００２５】
また、蓋体３１（すなわち基板３１ａ及びパッキン３１ｂ）は、自然状態（すなわち板面に垂直な力を加えない状態）で、蓋体３１の前後方向の中央位置にて左右方向に延びる中心線Ｌ１に対して対称であって、前記中心線Ｌ１の位置を中心に裏面側が凹状になるように、僅かに湾曲させて構成されている。なお、パッキン３１ｂにおける左右方向に延設された一対の凸状部３１ｂ１の頂上は全て同一平面上にあり、前後方向に延設された一対の凸状部３１ｂ１における前記中心線Ｌ１に対して対称位置の前記同一平面からの高さ（距離）はそれぞれ等しい。
【００２６】
ここで、鉄製の鋼板である基板３１ａ及びゴム製のパッキン３１ｂの材質及び寸法について一例を上げて説明しておく。基板３１ａは、ＪＩＳ規格でＳＳ４００の鋼板であり、パッキン３１ｂは天然ゴムである。基板３１ａにおける横方向の長さは４５０ｍｍで、前後方向の長さは２５０ｍｍである。パッキン３１ｂにおける横方向に延設された一対の中心位置間の距離（前後方向の長さ）は２３０ｍｍであり、前後方向に延設された一対の中心位置間の距離（横方向の長さ）は４３０ｍｍである。基板３１ａの厚さは、４ｍｍ〜６  ｍｍ程度が好ましい。パッキン３１ｂの平板部の厚さは、６ｍｍ〜１２ｍｍ程度が好ましく、パッキン３１ｂの凸状部３１ｂ１の幅及び高さは、それぞれ３ｍｍ〜８ｍｍ、３ｍｍ〜６ｍｍ程度が好ましい。そして、パッキン３１ｂの中心線Ｌ１位置における湾曲量、すなわちパッキン３１ｂの前後方向に延設された一対の凸状部３１ｂ１（この凸状部３１ｂ１が位置するパッキン３１ｂの平面部及び基板３１ａ部分においても同じ）において、その両端位置の部分から前記中心線Ｌ１位置の部分までの板面に垂直方向の距離（変位量）は、１ｍｍ〜２ｍｍ程度が好ましい。
【００２７】
なお、このような回転ドラム式洗浄装置の動作、すなわちモータ２６の回転は、図示しない電気制御装置により制御されるものである。この電気制御装置は、図示しない操作パネルの操作により作動開始し、設定された時間だけモータ２６を回転させて、その後にモータ２６の回転を停止させる。この場合、モータ２６の回転停止時には、常にドラム２１の開口部２１ｃが上方に位置する状態で、モータ２６の回転は停止する。
【００２８】
上記のように構成した回転ドラム式洗浄装置の動作について説明すると、作業者は、まず、モータ２６の停止状態にて上方に位置している開口部２１ｃを介して被洗浄物（例えば、ロストル、焼き肉用網などの付着物が付着した被洗浄物）、研磨チップ、洗浄剤及び水をドラム２１内に入れる。次に、作業者は、密閉用の蓋体３１を取っ手３１ｄを持ってドラム２１の開口部２１ｃ上に載せ、蓋体３１の前端面がストッパ２１ｅ，２１ｅに当接するまで、蓋体３１を前方に移動する。その後、作業者は、押し付け機構を構成するロッド３３の両端部をドラム２１の支持部２１ｆ，２１ｆの貫通孔２１ｆ１，２１ｆ１に貫通させて、ロッド３３を支持部２１ｆ，２１ｆに組み付ける。この状態では、図４に示すように、パッキン３１ｂにおける左右方向に延設された凸状部３１ｂ１は、ドラム２１の開口部２１ｃの周縁部におけるライニング２１ｄの上面に当接している。しかし、パッキン３１ｂにおける前後方向に延設された凸状部３１ｂ１の前後端部以外は、中心線Ｌ１に近づくに従って、ドラム２１の開口部２１ｃの周縁部におけるライニング２１ｄの上面からの距離が大きくなるように離間している。すなわち、前記前後方向に延設された凸状部３１ｂ１の前後端部以外と、前記開口部２１ｃの周縁部との間に隙間が設けられ、この隙間の最大値（すなわち中心線Ｌ１の隙間量）は約１ｍｍ〜２ｍｍ程度である。
【００２９】
その後、作業者は、ハンドル３３ｂを持ってロッド３３を回転させると、偏芯カム３３ａ，３３ａも回転して蓋体３１の板片３１ｃ，３１ｃに当接し、さらにロッド３３を回転させると、偏芯カム３３ａ，３３ａが蓋体３１を前後方向の中心線Ｌ１位置にて下方へ押し付け始めて、蓋体３１は下方へ変位する。この変位により、パッキン３１ｂの凸状部３１ｂ１は変形し始めて、中心線Ｌ１から離れた位置の凸状部３１ｂ１は押し潰されて、この位置の凸状部３１ｂ１は開口部２１ｃのライニング２１ｄに密着する。さらに、ハンドル３３ｂを同方向に回転させると、蓋体３１はさらに下方へ変位し、中心線Ｌ１に近い位置のパッキン３１ｂの凸状部３１ｂ１もライニング２１ｄの上面に密着されるようになる。すなわち、最終的には、図５に示すように、中心線Ｌ１位置のパッキン３１ｂの凸状部３１ｂ１もライニング２１ｄに密着される。その結果、パッキン３１ｂの凸状部３１ｂ１の全ての部分はライニング２１ｄの上面に密着され、ドラム２１は蓋体３１によって密閉される。
【００３０】
その後、作業者は、操作パネルを操作してモータ２６の作動時間を設定した後、モータ２６の回転を電気制御装置に指示する。この回転開始の指示により、電気制御装置は、モータ２６を回転させ始める。このモータ２６の回転により、ドラム２１も回転軸２３の軸線周りに回転し始める。この状態では、洗剤は水に溶け、洗剤の溶けた洗浄水と共に、被洗浄物及び研磨チップもドラム２１内で回転する。その結果、被洗浄物が洗浄水によって洗浄されるとともに、被洗浄物に付着している付着物が研磨チップとの衝突により被洗浄物から剥がれ落ち、被洗浄物がきれいに洗浄される。その後、前記設定時間が経過すると、モータ２６は電気制御装置により自動的に停止制御され、モータ２６の回転が停止するとともに、ドラム２１の回転も停止する。なお、このモータ２６の回転停止状態でも、ドラム２１の開口部２１ｃは上方に位置する。
【００３１】
次に、作業者は、ハンドル３３ｂを前記とは反対方向に回転させて、押し付け機構による蓋体３１の押し付けを解除した後、ロッド３３を支持部２１ｆ、２１ｆから取り外す。その後、密閉用の蓋体３１を取っ手３１ｄ，３１ｄを持ってドラム２１から取り外す。次に、作業者は、前述した密閉用の蓋体３１と同様に、排水用の蓋体３２を取っ手３２ｃを持ってドラム２１の開口部２１ｃ上に載せ、蓋体３２の前端面がストッパ２１ｅ，２１ｅに当接するまで、蓋体３２を前方に移動する。その後、作業者は、前述した密閉用の蓋体３１の場合と同様に、ロッド３３をふたたび支持部２１ｆ，２１ｆに組み付け、ハンドル３３ｂを回転させて偏芯カム３３ａ，３３ａで蓋体３２をドラム２１の開口部２１ｃの上面に押し付けて、蓋体３２をドラム２１の開口部２１ｃ上に固定する。なお、この場合には、ドラム２１の密閉性は要求されないので、蓋体３２のドラム２１の開口部２１ｃへの密閉性は問題視されない。次に、作業者は操作パネルを操作して、電気制御装置にドラム２１の１８０度の回転を指示する。この指示により、電気制御装置は、ドラム２１が１８０度回転するまでモータ２６を回転させて、そのモータ２６の回転を停止させる。その結果、ドラム２１内の洗浄水は、蓋体３２の孔３２ａを介して水受け部１４に落下し、図示しないホースを介して外部へ排出される。
【００３２】
前記洗浄水の排出後、作業者は、操作パネルを操作して、電気制御装置にドラム２１の１８０度の回転を指示する。この指示により、電気制御装置は、ドラム２１が１８０度回転するまでモータ２６を回転させて、そのモータ２６の回転を停止させる。その結果、ドラム２１の開口部２１ｃは上方に位置する。この状態で、作業者は、洗浄された被洗浄物を開口部２１ｃを介してドラム２１内から取り出す。そして、次に洗浄すべき新たな被洗浄物があれば、前記と同様に、新たな被洗浄物をドラム２１内に入れるとともに、洗浄剤及び水をドラム内に入れて、前記と同様に新たな被洗浄物を洗浄する。この場合、研磨チップはドラム２１内に残っているので、新たに研磨チップをドラム２１内に入れる必要はない。このような動作を繰り返して、被洗浄物を次々に洗浄する。そして、洗浄すべき被洗浄物がなくなれば、ロッド３３を保持部２１ｇ、２１ｇに保持させるとともに、両蓋体３１，３２をドラム２１の開口部２１ｃ上におき、又は別の所に置き、被洗浄物の洗浄を終了する。このとき、研磨チップをドラム２１内から出して保管しておいてもよいし、ドラム２１内に次の被洗浄物の洗浄のために残しておいてもよい。
【００３３】
このように動作する実施形態においては、前述したドラム２１の回転による被洗浄物の洗浄中、被洗浄物と研磨チップとの摩擦によって熱が発生して、ドラム２１内部の空気圧は上昇する。そして、上昇した空気圧とパッキンの反発力により、密閉用の蓋体３１には、蓋体３１の中心線Ｌ１から離れるに従って大きく変位するようなそりが発生する。すなわち、中心線Ｌ１から離れるに従って、蓋体３１の変位量は大きくなる。しかし、ドラム２１の回転前のロッド３３、偏芯カム３３ａ，３３ａなどからなる押し付け機構による蓋体３１の押し付け時には、中心線Ｌ１位置から離れた位置のパッキン３１ｂの凸状部３１ｂ１は、中心線Ｌ１位置近傍のパッキン３１ｂの凸状部３１ｂ１に比べて大きく押し潰されている。そのため、ドラム２１の回転時に、蓋体３１に多少のそりが生じても、中心線Ｌ１から離れた位置のパッキン３１ｂの凸状部３１ｂ１のドラム２１の開口部２１ｃにおけるライニング２１ｄの上面への密着は保たれ、パッキン３１ｂの凸状部３１ｂ１全体がライニング２１ｄの上面に密着されて、ドラム２１内の気密性を高めることができる。
【００３４】
これにより、上記実施形態によれば、ドラム２１の回転中、ドラム２１内部の空気が外部へ漏れることがなくなり、密閉用の蓋体３１がロッド３３、偏芯カム３３ａなどからなる押し付け機構によりドラム２１の開口部２１ｃ上に押し付けられたまま、回転ドラム式洗浄装置が運転終了後に放置され、ドラム２１内部の空気温度が放熱により低下しても、ドラム２１内部の空気圧が低下して外気圧よりも低くなることがない。その結果、密閉用の蓋体３１がパッキン３１ｂを介してドラム２１に吸着されることがなくなり、ロッド３３を回転させて押し付け機構による蓋体３１の押し付けを解除すれば、蓋体３１をドラム２１から簡単に取り外しできるようになる。特に、押し付け機構による密閉用の蓋体３１の押し付けの解除時には、蓋体３１の中心線Ｌ１に近い位置のパッキン３１ｂの部分はドラム２１の開口部２１ｃのライニング２１ｄから離れて隙間ができるので、蓋体３１をドラム２１から簡単に取り外しできるようになる。
【００３５】
また、冬季において暖房された室内でこの回転ドラム式洗浄装置を繰返し運転させた後、密閉用の蓋体３１をロッド３３、偏芯カム３３ａなどからなる押し付け機構により押し付けた状態のまま暖房が停止された室内に放置すると、ドラム２１内部の空気は温度低下によって外気圧よりも低くなるが、押し付け機構による蓋体３１の押し付けの解除時には、中心線Ｌ１に近い位置のパッキン３１ｂの部分はドラム２１の開口部２１ｃのライニング２１ｄの上面から離れて隙間ができる。したがって、このような状況下では、外気がドラム２１内に流入し、ドラム２１内部の空気圧が外気圧と同じになるので、この場合も、蓋体３１をドラム２１から簡単に取り外しできる。
【００３６】
なお、本発明の実施にあたっては、上記実施形態に限定されるものではなく、本発明の目的を逸脱しない限りにおいて種々の変更が可能である。
【００３７】
上記実施形態では、自然状態において、すなわちドラム２１の開口部２１ｃを密閉用の蓋体３１で覆い、かつロッド３３、偏芯カム３３ａ，３３ａなどからなる押し付け機構によって蓋体３１をドラム２１側に押し付ける前の状態において、蓋体３１（基板３１ａ及びパッキン３１ｂ）を、中心線Ｌ１を中心に前後方向に対称かつ裏面側が凹状になるように湾曲させて構成した。しかし、これに代えて、図６に示すように、ドラム２１の開口部２１ｃ（ライニング２１ｄの上面）を、中心線Ｌ１を中心に前後方向に対称かつパッキン３１ｂの凸状部３１ｂ１と接する面が凹状になるように湾曲させて構成してもよい。
【００３８】
また、図７に示すように、前記自然状態において、パッキン３１ｂを、中心線Ｌ１を中心に開口部２１ｃ（ライニング２１ｄの上面）と接する部分を凹状になるように湾曲させて密閉用の蓋体３１の裏面から突出させるように構成してもよい。具体的には、蓋体３１の基板３１ａ及びパッキン３１ｂの平板部を湾曲しない平面状に形成しておき、パッキン３１ｂの凸状部３１ｂ１のみを、その先端が中心線Ｌ１位置を中心に前後方向に対称かつ凹状になるように湾曲させるようにしてもよい。
【００３９】
これらの変形例によっても、自然状態では、パッキン３１ｂにおける左右方向に延設された凸状部３１ｂ１は、ドラム２１の開口部２１ｃの周縁部におけるライニング２１ｄの上面に当接しているが、パッキン３１ｂにおける前後方向に延設された凸状部３１ｂ１の前後端部以外は、中心線Ｌ１に近づくに従って、ドラム２１の開口部２１ｃの周縁部におけるライニング２１ｄの上面からの距離が大きくなるように離間している。よって、この変形例によっても上記実施形態と同様な効果が期待される。
【００４０】
さらに、上記実施形態においては、密閉用の蓋体３１及び排水用の蓋体３２を具備していたが、密閉及び廃水の２つの機能を兼用した一つの蓋体のみを有する回転ドラム式洗浄装置にも、本発明を適用できる。この回転ドラム式洗浄装置も、図８に示すように、フレーム１１、脚部１２、底板１３及び水受け部１４からなる支持構造１０を有するとともに、ドラム２１、補強部材２２、回転軸２３、軸受２４、プーリ２５，２７及びモータ２６を備えている。これらの部品及び部材は、大きさ、形状、配置などにおいて上記実施形態の場合と若干異なるが、実質的に同一機能を有するので、上記実施形態と同じ符号を付してその説明を省略する。
【００４１】
次に、上記実施形態の蓋体３１，３２とは異なる蓋体４１について説明する。この蓋体４１もドラム２１の開口部２１ｃを閉止するものであるが、蓋体４１の前後方向の長さがドラム２１の開口部２１ｃの前後方向の長さに比べて多少長い。なお、蓋体４１の左右方向の長さは、がドラム２１の開口部２１ｃの左右方向の長さに対応している。そして、蓋体４１は、図９(Ａ)(Ｂ)に示すように、上記実施形態の蓋体３１の場合と同様に、長方形状かつ平板状の鉄製の基板４１ａ上に、基板４１ａと同一の形状及び大きさを有するゴム製のパッキン４１ｂが添着されている。なお、この図９(Ａ)(Ｂ)においても、後述する板片４１ｃ及び取っ手４１ｄを省略している。
【００４２】
パッキン４１ｂは、全体的には平板状に形成され、上記実施形態の凸状部３１ｂ１の場合と同様に、その周縁部すなわち蓋体４１でドラム２１の開口部２１ｃを覆った状態で開口部２１ｃの周縁部に当接する位置にて、所定幅で下方に突出した断面台形状の凸状部３１ｂ１を方形状に延設させている。さらに、パッキン４１ｂの平板部上には、左右方向に延設された後側の凸状部４１ｂ１に対して垂直にパッキン４１ｂの前端部まで延設された３本の凸状部４１ｂ２が形成されている。これらの凸状部４１ｂ１，４１ｂ２の断面形状は、上記実施形態の凸状部３１ｂ１と同じである。なお、凸状部４１ｂ２の数は、３本でなくても、２本又は４本以上でもよい。
【００４３】
また、この変形例の場合も、蓋体４１（すなわち基板４１ａ及びパッキン４１ｂ）は、自然状態（すなわち板面に垂直な力を加えない状態）で、凸状部４１ｂ１の前後方向の中心線Ｌ２を中心にして、裏面側が凹状になるように湾曲させて構成されている。したがって、上記実施形態のパッキン３１ｂと同様に、パッキン４１ｂにおける左右方向に延設された一対の凸状部４１ｂ１の頂上は全て同一平面上にあり、前後方向に延設された一対の凸状部４１ｂ１における前記中心線Ｌ２に対して対称位置の前記同一平面からの高さ（距離）はそれぞれ等しい。なお、この変形例では、凸状部４１ｂ２に関しても湾曲しているが、凸状部４１ｂ２に関して湾曲させずに直線状にしてもよい。基板４１ａの厚さ、パッキン４１ｂの平板部の厚さ、並びに凸状部４１ｂ１、４１ｂ２の幅及び高さは、上記実施形態の基板３１ａ、パッキン３１ｂ及び凸状部３１ｂ１の場合と同じである。
【００４４】
また、この変形例に係る蓋体４１においても、上記実施形態の板片３１ｃ及び取っ手３１ｄと同様な板片４１ｃが及び取っ手４１ｄが設けられている。この場合、３つの板片３１ｃが、前記中心線Ｌ２を中心にして、同中心線Ｌ２に対して直交する方向に延設されて、蓋体４１の表面（上面）に固着されている。さらに、この変形例においても、蓋体４１をドラム２１の開口部２１ｃ上に押し付けるために、上記実施形態の偏芯カム３３ａ及びハンドル３３ｂを有するロッド３３と同様な、偏芯カム４２ａ及びハンドル４２ｂを有するロッド４２が用意されている。このロッド４２は、上記実施形態の場合と同様に、支持部２１ｆ，２１ｆに組み付けられて、支持部２１ｆ、２１ｆに軸線方向に進退可能かつ軸線回りに回転可能に支持される。なお、この変形例においては、板片４１ｃ及び偏芯カム４２ａは３つずつ設けられているが、板片４１ｃ及び偏芯カム４２ａは同じ数の複数であればよく、２つずつでも、４つ以上ずつでもよい。
【００４５】
このように構成した変形例に係る回転ドラム式洗浄装置の動作について説明すると、被洗浄物の洗浄工程において、モータ２６によるドラム２１の回転前に、作業者は、蓋体４１をドラム２１の開口部２１ｃ上に載せ、蓋体４１の前端面（図９の下側の端面）をストッパ２１ｅ，２１ｅに当接させて、上記実施形態の場合と同様に、ロッド４２、偏芯カム４２ａなどからなる押し付け機構を操作して、蓋体４１をドラム２１の開口部２１ｃ上に密着固定する。この状態では、パッキン４１ｂの凸状部４１ｂ１の全体が開口部２１ｃのライニング２１ｄに密着するので、ドラム２１は蓋体４１によって密閉される。したがって、押し付け機構により蓋体４１の締め付け後、上記実施形態の場合と同様にして、被洗浄物が洗浄される。
【００４６】
そして、被洗浄物の洗浄後の洗浄水の廃水工程においては、ドラム２１を軸線回りに１８０度回転させる前に、作業者は、蓋体４１をドラム２１の開口部２１ｃ上に載せ、蓋体４１の後端面（図９の上側の端面）をストッパ２１ｅ，２１ｅに当接、すなわち洗浄前とは蓋体４１をその垂直軸線回りに１８０度回転させてストッパ２１ｅ，２１ｅに当接させ、上記実施形態の場合と同様に、ロッド４２、偏芯カム４２ａなどからなる押し付け機構を操作して、蓋体４１をドラム２１の開口部２１ｃ上に密着固定する。この状態では、ドラム２１の開口部２１ｃにおける左右方向に延設された部分の一方は、パッキン４１ｂの凸状部４１ｂ２の後端部（図９の上側の端部）に位置し、前記部分の他方はパッキン４１ｂの凸状部４１ｂ１における前後方向に延設された部分の中間部に位置する。この状態では、ドラム２１の開口部２１ｃ上とパッキン４１ｂと間には隙間ができ、ドラム２１の開口部２１ｃは開放されている。したがって、押し付け機構により蓋体４１の締め付け後、上記実施形態の場合と同様に、ドラム２１を軸線回りに１８０度回転させれば、ドラム２１内部の洗浄水は、パッキン４１ｂとドライブ２１の開口部２１ｃとの隙間を介して水受け部１４に落下し、図示しないホースを介して外部へ排出される。他の動作については、上記実施形態の場合と同じである。
【００４７】
上記のように構成した変形例に係る回転ドラム式洗浄装置においても、上記実施形態の場合と同様に、蓋体４１（すなわち基板４１ａ及びパッキン４１ｂ）は、自然状態（すなわち板面に垂直な力を加えない状態）で、凸状部４１ｂ１の前後方向の中心線Ｌ２を中心にして、裏面側が凹状になるように湾曲させて構成されている。したがって、この変形例においても、上記実施形態と同様な効果が期待される。
【００４８】
さらに、図８及び図９に示したこの変形例に係る回転ドラム式洗浄装置においても、蓋体４１及びドラム２１の開口部２１ｃを、上記実施形態の変形である図６乃至図７に示した変形例のように変形することもできる。このように変形しても、上記実施形態の効果が期待される。
【符号の説明】
【００４９】
１０…支持構造、２１…ドラム、２１ｃ…開口部、２６…モータ、３１，３２，４１…蓋体、３１ｂ，４１ｂ…パッキン、３１ｂ１，４１ｂ１，４１ｂ２…凸状部、３３，４２…ロッド、３３ａ，４２ａ…偏芯カム、３３ｂ，４２ｂ…ハンドル
【図１】
2014091087.tif 000003
【図２】
2014091087.tif 000004
【図３】
2014091087.tif 000005
【図４】
2014091087.tif 000006
【図５】
2014091087.tif 000007
【図６】
2014091087.tif 000008
【図７】
2014091087.tif 000009
【図８】
2014091087.tif 000010
【図９】
2014091087.tif 000011